(57)【特許請求の範囲】
【請求項１】
耕起跡を移動する成形板の下端辺および側端辺とで畝の底面および側面を成形するよう構成するとともに、前記成形板の下端辺に、畝の底面の横端部を押圧成形する舌片を備えてあり、その舌片及び前記成形板の側端辺を、畝成形作用姿勢にて畝の底面及び側面を押圧する反力によって後方に弾性屈曲可能に構成してあることを特徴とする培土器。
【請求項２】
剛性材からなる支持枠に止着したゴム板で前記成形板を構成し、前記舌片、あるいは、前記舌片と前記側端辺を成形板に一体形成してある請求項１記載の培土器。
【請求項３】
前記畝成形作用姿勢において、背面視で前記成形板を逆台形形状になるように形成し且つ前記舌片をその逆台形形状の前記成形板の下端辺から突出させてある請求項１または２記載の培土器。
【発明の詳細な説明】
【技術分野】
【０００１】
本発明は、耕起跡を移動して畝の底面と側面とを成形する培土器に関する。
【背景技術】
【０００２】
畝立て用の培土器としては、歩行操縦される走行機体の後部ヒッチに連結して使用するよう構成したものが知られている（例えば、特許文献１の図２の１４参照）。
【特許文献１】特開２００３−５２２０２号公報
【発明の開示】
【発明が解決しようとする課題】
【０００３】
特許文献１の培土器では、成形板の下端辺で畝の底面を成形するとともに、成形板の側端辺で畝の側面を成形するのであるが、土の耕起具合によっては成形板の下及び側端辺による押圧が不十分になって、仕上がりが低下したり、崩れやすい畝になるおそれがあった。特に、畝の底面の横端部が弱いと、これに連なる畝の側面の下端部から崩れが発生しやすくなる。
【０００４】
本発明は、このような点に着目してなされたものであって、畝の側面の崩れが発生しにくい成形性能に優れた培土器を提供することを目的としている。
【課題を解決するための手段】
【０００５】
第１の発明は、耕起跡を移動する成形板の下端辺および側端辺とで畝の底面および側面を成形するよう構成するとともに、成形板の下端辺に、畝の底面の横端部を押圧成形する舌片を備えてあり、その舌片及び前記成形板の側端辺を、畝成形作用姿勢にて畝の底面及び側面を押圧する反力によって後方に弾性屈曲可能に構成してあることを特徴とする。
【０００６】
上記構成によると、成形板の下端辺から突出された舌片は畝の底面を押圧する反力によって後方に屈曲され、その弾性復元力によって畝の底面の横端部を押し固めるとともに、耕起の具合や前後姿勢の変化によって畝の底面の高さが多少変動しても、その変動に応じて成形板の舌片の屈曲具合が追従変化し、適度に押し固められた畝の底面を形成することができる。
【０００７】
従って、第１の発明によると、畝の側面の下端部に連なる底面の横端部をしっかり押し固めて、畝の側面の崩れが発生しにくい成形性能に優れた培土器を構成することができる。
【０００９】
しかも、上記構成によると、成形板の側端辺が畝の側面を押圧する反力によって後方に屈曲され、その弾性復元力によって畝の側面を押し固めるとともに、耕起の具合によって畝間の横幅が多少変動しても、その変動に応じて成形板の側端辺の屈曲具合が追従変化し、適度に押し固められた崩れにくい畝の側面を形成することができる。
【００１０】
第２の発明は、上記第１の発明において、
剛性材からなる支持枠に止着したゴム板で成形板を構成し、舌片、あるいは、舌片と側端辺を成形板に一体形成してあるものである。
【００１１】
上記構成によると、成形板の下端辺に別部材の舌片、あるいは、成形板の下及び側端辺に別部材の舌片と側端辺とを弾性屈曲可能に取り付ける構成に比べて、構造簡単かつ安価に製作することができる。
【００１２】
第３の発明は、前記畝成形作用姿勢において、背面視で前記成形板を逆台形形状になるように形成し且つ前記舌片をその逆台形形状の前記成形板の下端辺から突出させてあることを特徴とする。
【発明を実施するための最良の形態】
【００１４】
図１に、歩行型管理機の全体側面が、図２に、その平面がそれぞれ示されている。この歩行型管理機の走行機体１は、エンジン２を上端に直結した伝動ケース３から後方に操縦ハンドル４を延出するとともに、前記伝動ケース３の下部左右に回転軸５を横架支承し、伝動ケース３の上部左右にフェンダ６を張り出し配備して構成されている。
【００１５】
前記エンジン２は縦軸型の空冷式ガソリンエンジンが使用されており、エンジン２の上部に備えたリコイルスタータ７を用いて手動でエンジン始動を行うよう構成されている。前記リコイルスタータ７から後方にリコイルロープ８が導出されるとともに、リコイルロープ８の後端に備えた引き手８ａが、操縦ハンドル４に備えられたロープフック９に挿通支持されている。
【００１６】
操縦ハンドル４は、丸パイプ材からなるハンドル基部４ａと、その後端に横向きの支点ｐ周りに回動可能に枢支連結された左右二股状の操作ハンドル部４ｂとから構成されており、支点ｐに備えたノブ付きボルト１０を緩めて操作ハンドル部４ｂを上下に回動し、任意の回動位置でノブ付きボルト１０を締め込むことで、操作ハンドル部４ｂの高さを調節することができる。図３に示すように、操作ハンドル部４ｂを前方に大きく回動することで、エンジン２に跨るように折り込み格納可能となっている。
【００１７】
前記ロープフック９は丸棒材をループ状に屈曲して操作ハンドル部４ｂの横ステー部４ｃに固着されており、このロープフック９の遊端部が横向きに延出されて取っ手９ａが形成されている。図３に示すように、操作ハンドル部４ｂを折込み格納位置に固定した状態においては、前記取っ手９ａがエンジン２の上部後方に位置することになり、伝動ケース３の上部前端に備えたアーチ形のプロテクタ１１と後方の前記取っ手９ａを把持して、走行機体１を持ち上げることができるようになっている。
【００１８】
前記伝動ケース３の後部には板金構造の後部ヒッチ１２が備えられており、この後部ヒッチ１２に挿通したハンドル基部４ａの前端部が伝動ケース３の下部後方箇所に連結されることで、ハンドル基部４ａが所定の後上がり傾斜姿勢で強固に固定支持されている。
【００１９】
前記後部ヒッチ１２の後端には縦向きのボス部１２ａが備えられており、このボス部１２ａに、丸棒材をくの字形に屈曲した抵抗棒１３が挿通されて貫通ピン１４で位置固定されている。抵抗棒１３には上下複数のピン挿通孔１５が形成されており、このピン挿通孔１５を選択して貫通ピン１４を挿通することで、抵抗棒１３の高さを複数段階に調節することが可能となっている。
【００２０】
図１は、前進走行によって走行機体１の通過跡左右に畝を形成してゆく外盛り式の畝立てを行う仕様とした歩行型管理機が示されており、伝動ケース３の下部に支承された左右の回転軸５には耕起ロータ１６がそれぞれ装着されている。耕起ロータ１６をダウンカット方向（図１及び図３の矢印参照）に高速で回転駆動して耕起しながら耕起ロータ１６の回転によって前進し、走行機体１の後部において圃場に突入された抵抗棒１３による前進抵抗を加減することで、所望の速度で前進しながら耕起を行うようになっている。
【００２１】
前記耕起ロータ１６は、回転軸５に連結される爪軸１７に耕起爪１８を植設して構成されており、この例では、複数種の耕起爪１８を所定の配列に配置して、所定の横幅に亘って耕起した土を左右に跳ね上げる外盛り仕様に構成されたものが用いられる。
【００２２】
前記後部ヒッチ１２の後寄り箇所には、抵抗棒１３の直前方に近接するように培土器２０が横向きの支点ｑ周りに自由回動可能に連結支持されている。図４，図５に示すように、この培土器２０は、金属製の支持枠２１にゴム板からなる成形板２２をボルト締め連結して構成されたものであり、その詳細は以下の通りである。
【００２３】
前記支持枠２１は、平鋼材からなる左右に長い上部横枠部２１ａと、左右に短い下部横枠部２１ｂと、これらの左右中心部をつなぐ縦枠部２１ｃとを備えており、縦枠部２１ｃの上端から上方に向けて二股状に折り曲げ延出された連結枠部２１ｄが、後部ヒッチ１２に回動自在にピン連結されている。縦枠部２１ｃの上端に連設した屈曲部２１ｅが左右の前連結枠部２１ｄに亘って溶接連結されており、図５中の仮想線に示すように、前記屈曲部２１ｅが後部ヒッチ１２の下面に接当することで、培土器２０の前方への揺動限界が規制され、培土器２０が耕起ロータ１６に接触することが回避されている。
【００２４】
前記成形板２２は、適度の硬度と弾性を備えた厚さ数ｍｍのゴム板を下窄まりの逆台形状に切り出したものであり、上記支持枠２１の前面上下に複数個所でボルト締め連結される。この成形板２２は、支持枠２１の横外端よりもはみ出す横幅と、支持枠２１の上下高さと同じ高さの上下高さを備えるとともに、成形板２２の下端辺２２ａにおける左右には下部横枠部２１ｂよりも下方に突出する舌片２３が一体形成されている。
【００２５】
上記構成によると、耕起ロータ１６をダウンカット方向（図１及び図３の矢印参照）に高速で回転駆動して耕起しながら耕起ロータ１６の回転によって前進し、圃場に突入された抵抗棒１３による前進抵抗を加減することで、所望の速度で前進しながら耕起および左右への土上げを行いながら、耕起されて柔らかくなった土を逆台形状の培土器２０で押圧移動させ、成形板２２の下端辺２２ａで畝の底面Ｂを押圧成形するとともに、成形板２２の傾斜する側端辺２２ｂで左右の畝の側面Ｓを押圧成形する。
【００２６】
この場合、図５に示すように、培土器２０は後向きに働く負荷によって支点ｑ周りに後方に揺動され、支持枠２１の下部が抵抗棒１３に受け止められることで、培土器２０が少し前倒れ傾斜した所定の畝成形作用姿勢に維持される。
【００２７】
図６，図７に示すように、成形板２２の下端辺２２ａから突出された舌片２３は畝の底面Ｂを押圧する反力によって後方に屈曲され、その弾性復元力によって畝の底面Ｂの左右端を押し固めるとともに、耕起の具合や走行機体１の前後姿勢の変化によって畝の底面Ｂの高さが多少変動しても、その変動に応じて舌片２３の屈曲具合が追従変化し、適度に押し固められた畝の底面Ｂを形成することができる。
【００２８】
成形板２２の側端辺２２ｂも畝の側面Ｓを押圧する反力によって後方に屈曲され、その弾性復元力によって畝の側面Ｓを押し固めるとともに、耕起の具合によって畝間の横幅が多少変動しても、その変動に応じて側端辺２２ｂの屈曲具合が追従変化し、適度に押し固められた畝の側面Ｓを形成することができる。
【００２９】
なお、図３に示すように、取り外した培土器２２を大きく後方に振り上げた姿勢で付け換え連結するとともに、図５中の仮想線で示すように、支持枠２１の屈曲部２１ｅを後部ヒッチ１２の上面に係止することで、培土器２０を抵抗棒１３より上方の格納姿勢に保持することができ、培土器２０を走行機体１に携帯装備した状態のままで、耕起ロータ１６と抵抗棒１３を用いての耕起作業を行うことができる。
【００３０】
〔他の実施例〕
本発明は、以下のような形態で実施することも可能である。
【００３１】
（１）前記培土器２０の成形板２２を金属板で構成し、この成形板２２の下端部にゴム板や薄いバネ板で構成した別部材の舌片２３を取り付けるとともに、成形板２２の左右端にゴム板や薄いバネ板で構成した別部材のヒレ状部材を取り付けて弾性屈曲可能な側端辺２２ｂを構成することもできる。
【００３２】
（２）前記培土器２０の成形板２２を金属板で構成し、この成形板２２の下端辺に金属板からなる舌片２３を後方揺動可能に枢支連結するとともに、枢支部に備えたねじりバネなどによって下方に延出された姿勢に揺動付勢し、また、成形板２２の左右端に金属板で構成した別部材のヒレ状部材を後方揺動可能に取り付けるとともに、枢支部に備えたねじりバネなどによって横外方に延出された姿勢に揺動付勢して弾性屈曲可能な側端辺２２ｂを構成することもできる。
【００３３】
（３）上記実施例では、培土器２０で左右の畝の側面Ｓと畝の底面Ｂとを形成する外盛り仕様での畝を成形する場合を例示したが、培土器２０の通過跡に畝を盛り上げ形成してゆく内盛り仕様で実施することもできる。
【００３４】
（４）本発明の参考形態として、図８および図９に示すように、培土器２０の成形板２２を金属板あるいは硬質の樹脂板で構成し、この成形板２２における下端辺２２ａの左右に、予め後方に屈曲された舌片２３を突設し、畝の底面Ｂの横端部を舌片２３の下面で広く押圧して押し固める形態で実施することも、畝の側面Ｓが下端部から崩れにくくする上で有効となる。
【図面の簡単な説明】
【００３５】
【図１】歩行型管理機の側面図
【図２】歩行型管理機の平面図
【図３】操縦ハンドルおよび培土器を格納した状態の側面図
【図４】培土器の背面図
【図５】畝成形作用姿勢にある培土器を示す縦断側面図
【図６】畝成形作用姿勢にある培土器を示す背面図
【図７】畝成形作用姿勢にある培土器を示す平面図
【図８】本発明の参考形態の培土器を示す背面図
【図９】本発明の参考形態の培土器を示す縦断側面図
【符号の説明】
【００３６】
２１                支持枠
２２                成形板
２２ａ              下端辺
２２ｂ              側端辺
２３                舌片
Ｂ                  畝の底面
Ｓ                  畝の側面
【図１】
0005069577.tif 000002
【図２】
0005069577.tif 000003
【図３】
0005069577.tif 000004
【図４】
0005069577.tif 000005
【図５】
0005069577.tif 000006
【図６】
0005069577.tif 000007
【図７】
0005069577.tif 000008
【図８】
0005069577.tif 000009
【図９】
0005069577.tif 000010